Podtech/llm-jp-corpus-v4-ja_patent huggingface dataset:
(57)【要約】【課題】速度センサを持つ車両用主電動機は，回転子とともに回転する速度センサ用ギヤを有するため，ギヤ先端で風切り音が発生することがある。また，軸受を潤滑油で潤滑する車両用主電動機においては，ギヤの攪拌作用によって，潤滑油に攪拌熱が発生することを低減する。【解決手段】下側に貯油室を有する給油室内に回転子軸とともに回転する油掻揚げ円板を設け、該油掻揚げ円板の外周に凹凸または歯形を形成し、速度センサ用ギヤとした車両用主電動機の油潤滑装置において、該速度センサ用ギヤの凹部または歯間に詰めものをすることを特徴とする。前記詰めものが非磁性体であることを特徴とする。速度センサ用ギヤの外周を円弧形状に滑らかにするために，外周の凹凸がなくなり，速度センサ用ギヤの回転による風切り音の発生や潤滑油の攪拌熱の発生を抑えることができる。また，非磁性体を埋めるため，通常通り，車両用主電動機の回転を検出することができる。【選択図】図１
2013013263.tif 000002
【特許請求の範囲】
【請求項１】
下側に貯油室を有する給油室内に回転子軸とともに回転する油掻揚げ円板を設け、該油掻揚げ円板の外周に凹凸または歯形を形成し、速度センサ用ギヤとした車両用主電動機の油潤滑装置において、該速度センサ用ギヤの凹部または歯間に詰めものをすることを特徴とする車両用主電動機の速度センサ用ギヤ。
【請求項２】
前記詰めものが非磁性体であることを特徴とする請求項１記載の車両用主電動機の速度センサ用ギヤ。
【発明の詳細な説明】
【技術分野】
【０００１】
本発明は，速度センサを有する車両用主電動機に関するものである。
【背景技術】
【０００２】
車両用主電動機には主回路制御やブレーキ制御に用いるため，主電動機の回転を検出する速度センサを取付けるものがある。
速度センサ用ギヤは磁性体でできており，外周は一定間隔の凹凸形状となっており，速度センサ用ギヤの回転により，速度センサ先端と速度センサ用ギヤの隙間が変化することになる。速度センサ内には磁石が埋め込まれており，隙間の変化によって速度センサ内に電磁誘導作用によって電力が発生し，その電圧の変化を速度センサで検出することによって，車両用主電動機の回転は検出できることになる。
また，車両用主電動機には軸受を潤滑油で潤滑するものがあり，軸受への潤滑油の供給は軸受近傍に貯められた潤滑油を油掻揚げ円板で上方に掻き揚げ，落下する際に軸受へ流入することに行われる。このような車両用主電動機に速度センサを取付ける場合，磁性体からなる油掻揚げ円板の外周に一定間隔の凹凸を付けることによって，速度センサ用ギヤとすることができる。
図２はこのような方式の車両用主電動機の速度センサ周りの断面図であり，１は固定子，２は回転子，３は回転子軸，４は軸受，５は軸受箱，６は油掻揚げ円板の機能も有する速度センサ用ギヤ，７は軸受押え，８はカバ−，９は速度センサ，１０は潤滑油である。
【先行技術文献】
【特許文献】
【０００３】
【特許文献１】特開２００１−９０７４０公報
【発明の概要】
【発明が解決しようとする課題】
【０００４】
速度センサを持つ車両用主電動機は，回転子とともに回転する速度センサ用ギヤを有するため，ギヤ先端で風切り音が発生することがある。
また，軸受を潤滑油で潤滑する車両用主電動機においては，ギヤの攪拌作用によって，潤滑油に攪拌熱が発生することがあった。
【課題を解決するための手段】
【０００５】
本発明によれば、下側に貯油室を有する給油室内に回転子軸とともに回転する油掻揚げ円板を設け、該油掻揚げ円板の外周に凹凸または歯形を形成し、速度センサ用ギヤとした車両用主電動機の油潤滑装置において、該速度センサ用ギヤの凹部または歯間に詰めものをすることを特徴とする。また前記詰めものが非磁性体であることを特徴とする。
【０００６】
速度センサ用ギヤの外周を円弧形状に滑らかにするために，外周の凹凸を非磁性体で埋める。それにより，速度センサ用ギヤの外周の凹凸がなくなり，速度センサ用ギヤの回転による風切り音の発生や潤滑油の攪拌熱の発生を抑えることができる。
また，非磁性体を埋めるため，通常通り，車両用主電動機の回転を検出することができる。
【発明の効果】
【０００７】
本発明の構造は、車両用主電動機から発生する騒音の低減や，潤滑油の劣化速度の低減や潤滑油により潤滑される軸受寿命の延長を図ることができる。
【図面の簡単な説明】
【０００８】
【図１】速度センサと速度センサ用ギヤを示した説明図である。（実施例１）
【図２】車両用主電動機の速度センサ周りの断面図である。
【図３】図２のＡ方向から速度センサ周りを示した説明図である。
【発明を実施するための形態】
【０００９】
速度センサ用ギヤの騒音と潤滑油の攪拌熱の低減という目的を，最小の部品点数で実現できた。
【実施例１】
【００１０】
図１は本発明の１実施例であって，図２のＡ方向から速度センサと速度センサ用ギヤを見た図で，速度センサの先端と速度センサ用ギヤは微小空間を空けて設置されており，ギヤの凹凸の間には非磁性体の詰め物をしている。
【産業上の利用可能性】
【００１１】
速度センサ付きの車両用主電動機において，速度センサ用ギヤの凹凸を非磁性体で埋めることによって，車両用主電動機より発生する騒音の低減や，潤滑油や軸受の交換周期の延長とメンテナンス作業の低減に寄与することができる。
【符号の説明】
【００１２】
１    固定子
２    回転子
３    回転子軸
４    軸受
５    軸受箱
６    速度センサ用ギヤ
７    軸受押え
８    カバ−
９    速度センサ
１０    潤滑油
１１    非磁性体の詰め物
【図１】
2013013263.tif 000003
【図２】
2013013263.tif 000004
【図３】
2013013263.tif 000005
(57)【要約】【課題】直流ＣＶケーブル用プレハブ型接続部では、ストレスコーンの先端側の空気層Ｓで放電が発生する懸念があるので、これを抑制して絶縁性能を向上させる。【解決手段】エポキシユニット２及びストレスコーン３を備えた直流ＣＶケーブル用プレハブ型接続部において、ストレスコーン３の先端部を導電性成形体３ｃで構成する。導電性成形体３ｃによりストレスコーン３の先端側に存在する空気層Ｓに等電位線が入り込むのを抑制できるので、空気層Ｓでの放電の発生を抑えることができ、接続部の絶縁性能を高めることができる。【選択図】図１
2013013273.tif 000002
【特許請求の範囲】
【請求項１】
直流ＣＶケーブルを接続するエポキシユニット及びストレスコーンを備えたプレハブ型接続部において、前記ストレスコーンの先端部を導電性成形体で構成したことを特徴とする直流ＣＶケーブル用プレハブ型接続部。
【請求項２】
導電性成形体とストレスコーンの絶縁部との境目がエポキシユニットの埋込電極の端部より外側に位置することを特徴とする請求項１記載の直流ＣＶケーブル用プレハブ型接続部。
【発明の詳細な説明】
【技術分野】
【０００１】
本発明は、エポキシユニットとケーブル絶縁体の間にストレスコーンを設置した直流ＣＶケーブル用プレハブ型接続部に関するものである。
【背景技術】
【０００２】
図３に従来のＣＶケーブル用プレハブ型接続部を示す（特許文献１）。図において、１、１は接続すべきＣＶケーブル（架橋ポリエチレン絶縁電力ケーブル）、２はエポキシユニット、３、３はストレスコーンである。
【０００３】
ＣＶケーブル１の端部は段剥ぎされて、ケーブル導体１ａ、ケーブル絶縁体１ｂ、外部半導電層１ｃが露出している。ケーブル導体１ａ、１ａは導体接続管４により接続されている。エポキシユニット２はエポキシ樹脂製の補強絶縁体２ａ、埋込電極２ｂ、遮蔽電極２ｃで構成されている。埋込電極２ｂは導体接続管４と接触し、ケーブル導体１ａと同電位となる。ストレスコーン３は絶縁部３ａと導電部３ｂとから構成され、図示しない押圧装置によりエポキシユニット２とケーブル絶縁体１ｂの間に押し込まれる。ストレスコーン導電部３ｂはＣＶケーブル１の外部半導電層１ｃと接触し、接地電位となる。
【０００４】
ストレスコーン絶縁部３ａの先端面と埋込電極２ｂの段差部との間にはリング状のストッパー５が設置されている。ストッパー５はストレスコーン絶縁部３ａの先端部が押圧力によって埋込電極２ｂに接近し過ぎないようにするためのものであるが、省略される場合もある。
【先行技術文献】
【特許文献】
【０００５】
【特許文献１】特開２００３−２５９５４２号公報
【発明の概要】
【発明が解決しようとする課題】
【０００６】
図４（Ａ）は図３のプレハブ型接続部に交流課電した場合の等電位線の分布を示す。この場合は、等電位線が全てストレスコーン絶縁部３ａを通過するため特に問題は生じない。ところが、同じプレハブ型接続部に直流課電すると、等電位線の分布は図４（Ｂ）のようになる。すなわち、等電位線が高電圧側へ片寄ってストレスコーン絶縁部３ａの先端側に回り込むようになる。
【０００７】
ストレスコーン絶縁部３ａの先端側にはストッパー５が存在するが、ストッパー５の内周側及び外周側には空気層が存在する（埋込電極２ｂとケーブル導体１ａの間の空気層Ｓとつながっている）ため、等電位線がストレスコーン絶縁部３ａの先端側に回り込むと、空気層で電界集中による放電が生じやすくなり、ケーブル接続部の絶縁性能低下の原因となる。ストレスコーン絶縁部３ａの先端側にストッパー５を設置しない場合も当然のことながら同様の問題が生じる。
【０００８】
本発明の目的は、上記のような問題点に鑑み、特に直流ＣＶケーブル用プレハブ型接続部において、ストレスコーン絶縁部の先端側に等電位線が回り込まないようにすることで、ストレスコーン絶縁部の先端側の空気層内で放電が生じるのを抑制し、絶縁性能を向上させることにある。
【課題を解決するための手段】
【０００９】
上記目的を達成するため本発明は、直流ＣＶケーブルを接続するエポキシユニット及びストレスコーンを備えたプレハブ型接続部において、前記ストレスコーンの先端部を導電性成形体で構成したことを特徴とするものである。
導電性成形体は、ストレスコーン絶縁部との境目がエポキシユニットの埋込電極の端部より外側に位置するように形成することが好ましい。
【発明の効果】
【００１０】
本発明によれば、ストレスコーンの先端部を導電性成形体で構成したことにより、ストレスコーンの先端側（高圧側）に存在する空気層に等電位線が入り込むのを抑制できるので、同空気層での放電の発生を抑えることができ、接続部の絶縁性能を高めることができる。
【図面の簡単な説明】
【００１１】
【図１】本発明に係る直流ＣＶケーブル用プレハブ型接続部の一実施例を示す断面図。
【図２】図１のプレハブ型接続部に用いるストレスコーンを示す半分切開正面図。
【図３】従来のＣＶケーブル用プレハブ型接続部の一例を示す断面図。
【図４】図３のプレハブ型接続部に、（Ａ）は交流課電した場合、（Ｂ）は直流課電した場合の等電位線の分布を示す説明図。
【発明を実施するための形態】
【実施例】
【００１２】
図１及び図２は本発明の一実施例を示す。この直流ＣＶケーブル用プレハブ型接続部が図３に示した従来のプレハブ型接続部と異なる点は、ストレスコーン３の先端部を導電性成形体３ｃで構成したことである。導電性成形体３ｃは導電部３ｂと同じ導電性ゴムで形成することができる。
【００１３】
上記のように導電性成形体３ｃを設けておくと、ケーブル導体１ａに直流課電した場合の等電位線は図１のようになり、ストレスコーン３の先端側（高圧側）に存在する空気層Ｓに等電位線が入り込むのを抑制できる。このため、空気層Ｓでの放電の発生を抑えることができ、ケーブル接続部の絶縁性能を高めることができる。
【００１４】
なお、導電性成形体３ｃは、ストレスコーン絶縁部３ａとの境目がエポキシユニット２の埋込電極２ａの端部より外側に位置するように、つまり、導電性成形体３ｃとストレスコーン絶縁部３ａとの境目がエポキシユニット２の埋込電極２ａの端部から若干の距離Ｄだけ離れるように、形成することはが好ましい。このようにすると、等電位線がストレスコーン３の先端側の空気層に入り込むのをより確実に防止することができる。
【符号の説明】
【００１５】
１：ＣＶケーブル
１ａ：ケーブル導体
１ｂ：ケーブル絶縁体
１ｃ：外部半導電層
２：エポキシユニット
２ａ：補強絶縁体
２ｂ：埋込電極
２ｃ：遮蔽電極
３：ストレスコーン
３ａ：絶縁部
３ｂ：導電部
３ｃ：導電性成形体
４：導体接続管
５：ストッパー
Ｓ：空気層
【図１】
2013013273.tif 000003
【図２】
2013013273.tif 000004
【図３】
2013013273.tif 000005
【図４】
2013013273.tif 000006
(57)【要約】【課題】手の機能が未発達の子供や手の不自由な方が、持ち手のない器具を使用することによって、器具を持つことのできないことや倒してしまうことこぼしてしまうことなどの不安や心配があった。  本発明は、持ち手のない器具を持ちやすくするための器具取り付け持ち手ベルトを提供する。【解決手段】持ち手具の裏部分の上部と下部にベルトを設け、上部下部ベルトの右部分に凸部が通りひっかかる小穴を複数設け、左部分に右側の小穴にひっかける凸部を設けた  ことを特徴とする器具取り付け持ち手ベルト。【選択図】図１
2013013701.tif 000002
【特許請求の範囲】
【請求項１】
持ち手具の裏側の上部と下部にベルトを設け、ベルト右部分に複数のひっかけ小穴をあけ、左部分にひっかけ凸部を設けた器具取り付け持ち手ベルト。
【発明の詳細な説明】
【技術分野】
【０００１】  本発明は、持ち手のない器具などに取り付ける持ち手ベルトに関するものである。
【背景技術】
【０００２】  従来、持ち手のない器具を使用するためには、特に注意をして使用するか使用をやめていた。
【先行技術文献】
【０００３】
【特許文献１】特開２０００−２２６０３３
【発明の概要】
【発明が解決しようとする課題】
【０００４】  手の機能が未発達の子供や手の不自由な方が、器具を持つことのできないことや倒してしまうことこぼしてしまうことなどの不安や心配があった。
本発明は、以上の問題点を解決するためになされたものである。
【課題を解決するための手段】
【０００５】  持ち手具の裏部分の上部と下部にベルトを設け、上部下部ベルトの右部分に凸が通りひっかかる小穴を複数設け、左部分に右側の小穴にひっかける凸部を設ける。
以上の構成よりなる器具取り付け持ち手ベルト。
【発明の効果】
【０００６】  持ち手のない器具の使用を、本発明により心配や不安を解消し安全に使用することができる。
本発明は、ベルトサイズの調整範囲以内の器具に取り付け対応できる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）持ち手具（１）の裏側の上部と下部に伸縮しすべりにくい上部ベルト（２）と下部ベルト（３）を設ける。
（ロ）上部ベルト（２）と下部ベルト（３）の右部分に凸が通りひっかかる複数のひっかけ小穴（４）を貫通させ、左部分に右部分の小穴にひっかけるととれにくくなるひっかけ凸部（５）を設ける。
本発明は以上のような構造である。
本発明を使用するときは、持ち手具（１）のついた上部ベルト（２）と下部ベルト（３）を持ち手のない器具に巻きつけ、器具の大きさやサイズにあわせて上部ベルト（２）と下部ベルト（３）のひっかけ凸部（５）を複数のひっかけ小穴（４）からひとつ選びはめこんで装着して持ち手具（１）を持って使用する。
また、上部ベルト（２）と下部ベルト（３）は伸縮するので装着した後はすべりにくくずれない。
【符号の説明】
【０００９】  １持ち手具、２上部ベルト、３下部ベルト、４ひっかけ小穴、５ひっかけ凸部
【図１】
2013013701.tif 000003
【図２】
2013013701.tif 000004
(57)【要約】【課題】  従来のサイフは、とくに硬貨の場合ですが、硬貨を取り出すのに長い時間が必要でした。その理由は硬貨の種類に関係なく色々の硬貨を同じ場所に乱雑に収納していたからです。【解決手段】  硬貨を乱雑に収納していた収納方法を別な方法に変えました。それは硬貨を整理して適切な場所に収納することです。その結果、サイフを手に持つと、一目瞭然、何がどこにあるのか見えるので素早く、お金を取り出すことが出来ます。早く取り出せることは節電になります。【選択図】図１
2013013704.tif 000002
【特許請求の範囲】
硬貨の収納場所、配列、及び全体の形状。
【発明の詳細な説明】
【技術分野】
【０００１】  本発明は、サイフから、お金を取り出す時間の短縮に関する。
【発明の概要】
【発明が解決しようとする課題】
【０００２】  従来のサイフは硬貨を収納する時、その硬貨の種類に関係なく同じ場所に収納していました。
そのことで、お金を取り出すのに長い時間が必要でした。
【課題を解決するための手段】
【０００３】  そして、本発明は上記目的を達成するためにお金を整理  整頓して収納することにしました。
【発明の効果】
【０００４】  上述したように硬貨を整理して収納することでどの種類の硬貨が、どの場所にあるのかが見えているので、すぐに硬貨を取り出すことが出来ます。【０００５】  なお、この考えは紙幣についても同じです。
【図面の簡単な説明】
【０００６】
【図１】  本発明の節電サイフの正面図で表側
【図２】  本発明の節電サイフの正面図で裏側
【符号の説明】
【０００７】  Ａ  細い棒
Ｂ  ストッパー
〔形  状〕
〔サイフ表側の図１、のくわしい説明〕【０００８】  大きさは、ほぼ図１、と同じで厚さは薄い板、１ｃｍ以下で硬貨を区別する細い棒Ａがあり、またその先端にはサイフを傾むけた時に硬貨が滑り落ちないようにストッパーＢがあります。【０００９】  硬貨の数、置き場所、及び配列は図１と同じです。
〔サイフ裏側、図２のくわしい説明〕【００１０】  サイフの前の部分は、５円、５０円、５００円、硬貨が、それぞれ１個づつ収納する場所で、その下側は、紙幣を収納する場所です。
〔硬貨の取り出し方〕【００１１】  サイフから、１００円、１０円、１円硬貨を取り出す方法は指で硬貨を前方に滑らして取り出します。【００１２】  ５００円、５０円、５円硬貨は指先で、つまんで取り出します。
【図１】
2013013704.tif 000003
【図２】
2013013704.tif 000004
(57)【要約】      （修正有）【課題】防球フェンスに物置ラック（棚）を設け、人を保護する場所にて私物等まで一括管理又は保護する効率の良い保護を目的とする、ラック付防球フェンスを提供する。【解決手段】防球フェンス１に接合工程により一体型物置ラック２を設けることにより私物を管理保護する事が可能になると共に、一体化することにより重量が増加するため、防球フェンスに球体が当たった場合の衝撃によっても防球フェンス１がずれることがなくなる。【選択図】図１
2013013702.tif 000002
【特許請求の範囲】
【請求項１】
防球フェンス（１）に物置ラック（２）を設け一体型にしたラック付防球フェンス。
【発明の詳細な説明】
【技術分野】
【０００１】  この発明は、防球フェンスに物置ラック（棚）を設けたラック付防球フェンスに関するものである。
【背景技術】
【０００２】  従来、防球フェンスと物置ラック（棚）は別々になっていた。
【先行技術文献】
【０００３】
【特許文献】
【非特許文献】
【発明の概要】
【発明が解決しようとする課題】
【０００４】  これは、次のような欠点があった。
従来防球フェンスと物置ラックは別々の独立状態にあり、防球フェンスと物置ラックを設置するための空間スペース確保、レイアウトに困る事があった。
防球フェンスに球体の当たる衝撃により、ズレの生じる不便さもあった。
本発明は、以上のような欠点をなくし、利便性を高めた物である。
【課題を解決するための手段】
【０００５】  防球フェンス（１）に物置ラック（２）を一体型にして設ける。
本発明は、以上の構成によりなるラック付防球フェンスである。
【発明の効果】
【０００６】  防球フェンスと物置ラックが一体になっているので、人も私物も防護できる。人の側に私物を置く事ができるので、空間スペースの効率化を図れる。
【図面の簡単な説明】
【０００７】
【図１】  本発明の斜視図である。
【図２】  本発明の断面図である。
【図３】  本発明の斜視図である。
【発明を実施するための形態】
【０００８】  以下、本発明を実地するための形態について説明する。
防球フェンス（１）に接合工程により一体型物置ラック（２）を設ける。
本発明は、以上のような構造である。
これを使用する例題として、野球グランド等のベンチ前など、人を保護する場所にて私物等（グローブ等）まで一括管理又は保護する効率の良い保護を目的とする。
【符号の説明】
【０００９】      １    防球フェンス
２    物置ラック（棚）
【図１】
2013013702.tif 000003
【図２】
2013013702.tif 000004
【図３】
2013013702.tif 000005
(57)【要約】【課題】本発明は、タブレット型コンピューターやスマートフォンを使用した注文やＰＯＳレジスタ機能を持つシステムを提供する。【解決手段】飲食店の従業員がタブレット型コンピューター子機およびスマートフォン(2)で客の注文を入力することで注文情報がタブレット型コンピュータ親機ＰＯＳレジスタ(1)にWIFI（3）で通信され、厨房のキッチンプリンタ（5）に注文内容を印刷し、最後にタブレット型コンピュータ親機ＰＯＳレジスタ(1)で会計し、レシート印刷（4）することを特徴とする。【選択図】図１
2013149195.tif 000002
【特許請求の範囲】
【請求項１】
本発明は、飲食店の従業員がタブレット型コンピューター子機およびスマートフォン(2)で客の注文を入力することで注文情報がタブレット型コンピュータ親機ＰＯＳレジスタ(1)にWIFI（3）で通信され、厨房のキッチンプリンタ（5）に注文内容を印刷し、最後にタブレット型コンピュータ親機ＰＯＳレジスタ(1)で会計し、レシート印刷（4）することを特徴とするＰＯＳレジスタ機能システムである。
【発明の詳細な説明】
【技術分野】
【０００１】
本発明は、タブレット型コンピューターやスマートフォンを使用した注文やＰＯＳレジスタ機能を持つシステムに関するものである。
【背景技術】
【０００２】
現在飲食店等で使用されている従業員が客の注文をとる機器は、レジと組み合わせて特別に作られたハンディターミナル等しかなく、タブレット型コンピューターやスマートフォンを使用したものがなかった（特許文献１参照）。
また、注文をとる機器（端末）は、ハードウェアと一体型となっており、利用者が使用したいハードウェアとソフトウェアの組み合わせが不可能である。
精算を行うレジは、形が大きく重量もあり、店舗内での固定の場所を必要とする。
【先行技術文献】
【特許文献】
【０００３】
【特許文献１】特開２００９−１４６１８７
【発明の概要】
【発明が解決しようとする課題】
【０００４】
現在存在している、レジと組み合わせて特別に作られた客の注文をとる機器（端末）は、初期導入の時点やランニングで費用がかかり、小さな規模の飲食店では導入が難しいという問題があった。
注文をとる機器（端末）は、ハードウェアとソフトウェアの一体型となっており、利用者が使用したいハードウェアとソフトウェアの組み合わせが不可能である。
精算を行うレジは、形が大きく重量もあり、店舗内での固定の場所を必要とする。
本発明は、以上のような欠点をなくすためになされたものである。
【課題を解決するための手段】
【０００５】
飲食店の従業員がタブレット型コンピューター子機およびスマートフォン(2)で客の注文を入力することで注文情報がタブレット型コンピュータ親機ＰＯＳレジスタ(1)にWIFI（3）で通信され、厨房のキッチンプリンタ（5）に注文内容を印刷し、最後にタブレット型コンピュータ親機ＰＯＳレジスタ(1)で会計し、レシート印刷（4）する。
ここで言う「WIFI」は、無線LAN機器間の相互接続を可能とする機器を指す。
本発明は、以上の構成よりなるＰＯＳレジスタ機能システムである。
【発明の効果】
【０００６】
本発明は、タブレット型コンピューターおよびスマートフォンを使用することで、小さな規模の飲食店でも手軽に導入でき、タブレット型コンピューターがＰＯＳレジスタの役割をするため売上処理が簡易にかつ正確になるので、経費節約になる。
タブレット型コンピュータやスマートフォンで稼動するシステムにすることで、初期導入やランニングにかかる費用を少なくする。
また、客の精算を行うレジ機器は、タブレット型コンピュータを選択できることで、固定した場所に設置する必要がなくなる。
【図面の簡単な説明】
【０００７】
【図１】図１は本発明の一実施形態によるタブレット型コンピューターを使用したＰＯＳレジスタ機能システムの構成を説明した図である。
【発明を実施するための形態】
【０００８】
以下、本発明の実施をする為の形態について説明する。
飲食店内でタブレット型コンピューター子機およびスマートフォン(2)を使用して注文をとり、注文確認し、タブレット型コンピュータ親機ＰＯＳレジスタ(1)までWIFI（3）によってデータを流す。
タブレット型コンピュータ親機ＰＯＳレジスタ(1)はWIFI（3）によって厨房のキッチンプリンタ（5）に注文内容を印刷し、調理の指示を行う。
また、タブレット型コンピュータ親機ＰＯＳレジスタ(1)はWIFI（3）によって会計時、レシート印刷（4）を行う。
【符号の説明】
【０００９】
１ タブレット型コンピュータ親機ＰＯＳレジスタ
２ タブレット型コンピュータ子機およびスマートフォン
３ WIFI（無線LAN機器間の相互接続を可能とする機器）
４ レシート印刷
５ キッチンプリンタ（キッチンに設置されたプリンタ）
【図１】
2013149195.tif 000003
(57)【要約】      （修正有）【課題】晴天時にソーラーパネルの発電量を百％に上げる利用法を提供する。【解決手段】地球上の何処で有ろうと赤道に直角になるようにソーラーパネル６を設定するため、ソーラーパネル６のソーラーパネル軸７を赤道南北回帰線３の中心に直角に立て、朝夕は地球の回転と逆回転させることで太陽光を正面に受けるようにし、夜から朝にかけては地球と同じ方向に回転させることにより、朝から太陽光を正面に受けることが出来るようにする。【選択図】図１
2013149929.tif 000002
【特許請求の範囲】
地球赤道に直角にソーラーパネル着き回転軸を立て地球と逆回転し太陽光を正面に受光し日照時効率の良い発電をするソーラーパネル利用法。
【発明の詳細な説明】
【発明の詳細な説明】
この発明は回転軸を有するソーラーパネルを赤道に直角に立て地球と逆転し太陽光を正面に受光し効率の良い発電に関する。
従来のソーラーパネルの利用法は大部分建物の屋根に取り付け固定して利用しているがソーラーパネルに入光する角度（図面第三図参考）が小さくなると電流も小さくなるので太陽に直面しているより一日で半分の発電しかしないので非常に効率が悪い又太陽に直面するように移動式で利用しているのは非常に複雑な動きをさせるので高価で簡単には使えない決点がある。
この発明は地球上何処で有ろうと赤道に直角に成る様にソーラーパネルを設定し軸は地球の回転軸に平行に立て地球の回転と逆に回転する様に設定する事で常に太陽の方向に向け日照時百％に近い発電を行う事が出来る方法。
この発明を第一図から第三図の図面と共に説明すると、
地球外周１  地球の南北軸２  赤道南北回帰線３  ソーラーパネル設定位置の地球角度４  地平線５にソーラーパネル６  後面にソーラーパネル軸７  を取り付けたソーラーパネル６：７を赤道に直角に取り付ける事により、太陽光受光角度８の夏冬変化は在るが問題の起きるほどの電流の変化は無いので、赤道南北回帰線３の中心に直角にソーラーパネルを立て朝夕は地球回転と逆回転し太陽光を正面に受ける様に設定し夜から朝にかけ地球と同じに回転する事により、朝から太陽光を正面に受ける事が出来るように（公知の色々な方法で）設定する事で、晴天時年間百％の発電をする事の出来るソーラーパネル利用法。
【図面の簡単な説明】
【図１】  地球全体の緯度に合せソーラーパネル取り付け状態
【図２】  軸付ソーラーパネルの展開図  正面  平面  側面
【図３】  ソーラーパネル実測データーグラフ三図
【図１】
2013149929.tif 000003
【図２】
2013149929.tif 000004
【図３】
2013149929.tif 000005
(57)【要約】【目的】  灯油タンクへの給油をより安全で簡単にする。【構成】  ＬＥＤミニライトの一面に磁石板を内蔵付属した構造にする。【選択図】図１
2013149583.tif 000002
【特許請求の範囲】
【請求項１】
磁石をライトの一面に組み込んだミニマグネット式の灯油タンク用のライト。
【請求項２】
ライトと磁石間をフレキシブル帯の構造とした灯油タンク用のライト。
【発明の詳細な説明】
【技術分野】
【０００１】  本発明は、給油作業時の液面確認を容易にする技術である。
【背景技術】
【０００２】  従来の灯油タンクへの給油は、明るい場所あるいは懐中電灯を片手に持って行うのが一般的であった。自動停止タイプも発明されている。【０００３】  しかし夜間や狭い場所などでは大体の感で給油できないわけでもないが、稀に液面の判断を誤ってタンクから溢れそうになって驚く場合もある。
【発明の開示】
【発明が解決しようとする課題】
【０００４】  解決しようとする問題点は、この給油時の効果的な照明方法にある。
【課題を解決するための手段】
【０００５】  本発明は、ＬＥＤ電灯は軽く小型化できる点に着目し、その底面に磁石を組み合わせ灯油タンクに固定してから給油作業が出来るようにするものである。
【発明の効果】
【０００６】  簡単にタンク液面付近に固定でき、両手で給油作業が行えるのでタンクが倒れて灯油をこぼす危険も防止できるし、作業場所を選ばない効果がある。
【発明を実施するための最良の形態】
【０００７】  ＬＥＤは軽く長寿命であり、軽くて変形容易な被覆アルミ線などと組み合わせて変形できるので状況に応じた利用ができるようにしても良い。
【実施例１】
【０００８】  図１は、本発明装置の１例である。
【実施例２】
【０００９】    図１のようなミニライトを給油作業の前に灯油タンクの液面表示部分上の固定しやすい位置などにセットしてから給油ポンプで給油する。
【産業上の利用の可能性】
【００１０】  本発明は灯油ストーブの灯油タンクへの給油作業を安全簡単にするのが趣旨だが、産業界には様々な液面や場面があるのでクリップの底面に磁石を張り合わせて使える構造とすれば応用性は良いし、鉄製以外のタンク液面の照明も可能だ。また小型で良いので手に持ってミニライトとして使う事もできる。
【図面の簡単な説明】
【００１１】
【図１】  最も簡単な製作例である。ミニライトと磁石が一体なので、そのまま灯油タンクに固定出来る。スイッチは各種あるので付属できる。
【符号の説明】
【００１２】１  ＭＭライトの電球部分。実際は内部に平面組み込みで良い。
２  固定用の磁石。
３  ライト部分で内部に小型電池を内蔵させる。
【図１】
2013149583.tif 000003